(57)【特許請求の範囲】
【請求項１】
円筒状をなし内部に人を収容する収容空間を画定する浮揚体であって、側面の一部に形成された人が出入りするための第１の出入口と、長手方向の両端部にそれぞれ設けられた人が出入りするための第２及び第３の出入口とを有する、合成樹脂製の浮揚体と、
外部からの水の侵入を防ぎつつ前記浮揚体の第１の出入口を開閉可能に閉鎖する扉と、
外部からの水の侵入を防ぎつつ前記浮揚体の第２および第３の出入口をそれぞれ開閉可能に閉鎖する蓋体と、を有し、
前記浮揚体は、使用時には、当該浮揚体の長手方向を横方向にした横倒し状態で使用され、かつ、浸水状態において、中心軸線回りに回転自在となっており、当該浮揚体に復元性をもたせていない、水害避難用簡易シェルター。
【請求項２】
前記第２および第３の出入口には、外方に突出するように円筒部が形成され、
前記円筒部の外周面にはネジが形成され、
前記蓋体は、前記ネジに螺合することにより、前記出入口を開閉可能に閉鎖するキャップ状に形成されている、請求項１に記載の水害避難用簡易シェルター。
【請求項３】
前記浮揚体の長手方向の両端部の間で延在しかつ互いに離間して並設された２本のベルトからなる安全ベルトであって、前記浮揚体の内周面と前記２本のベルトとの間に避難者の身体を配置することで、当該避難者の転倒を防ぐための安全ベルトを備える、請求項１又は２に記載の水害避難用簡易シェルター。
【請求項４】
円筒状をなし内部に人を収容する収容空間を画定する浮揚体であって、側面の一部に形成された人が出入りするための第１の出入口と、長手方向の両端部にそれぞれ設けられた人が出入りするための第２及び第３の出入口とを有する、合成樹脂製の浮揚体と、
外部からの水の侵入を防ぎつつ前記浮揚体の第１の出入口を開閉可能に閉鎖する扉と、
外部からの水の侵入を防ぎつつ前記浮揚体の第２および第３の出入口をそれぞれ開閉可能に閉鎖する蓋体と、を有し、
前記浮揚体の両端部には、当該浮揚体の外径と同様の外径を有し、前記蓋体を包囲するように設けられ、内部に密閉された空洞を有する合成樹脂製の環状の保護部材が設けられており、前記空洞は、前記収容空間とは独立している、水害避難用簡易シェルター。
【発明の詳細な説明】
【技術分野】
【０００１】
本発明は、津波や洪水等の水害発生の際に緊急避難用に使用する水害避難用簡易シェルターに関する。
【背景技術】
【０００２】
日本は地震国家であり、近い将来巨大地震が発生すると予想されており、巨大地震の発生で来襲する大きな津波に備えておく必要がある。また、地震に限らず、河川氾濫、洪水等の水害が発生しやすい場所でも、これに備えておく必要がある。
例えば、特許文献１は、六面体からなる容器を用いた箱状避難シェルターを開示している。この箱状避難シェルターは、六面体からなる容器の一側面に出入り口が形成され、これを開閉する扉が設けられている。また、この箱状避難シェルターの容器の天井部には、ハッチが設けられることが記載されている。
【先行技術文献】
【特許文献】
【０００３】
【特許文献１】特開２０１５−３８３０９号公報
【発明の概要】
【発明が解決しようとする課題】
【０００４】
しかしながら、特許文献１の箱状避難シェルターは、天井部を上にした姿勢で浮遊することを前提に設計されているが、津波や洪水の激流やこれに流される瓦礫の中で天井部を上にした姿勢を保つことは困難である。このため、シェルターが横転したり上下逆転したりすることも十分に想定される。シェルターが横転したり、上下逆転したりした状態では、シェルター上部に設けられたハッチを開けることができず、シェルターから外部の状況を把握することや、シェルターから脱出することが困難となる。
特許文献１の箱状避難シェルターの容器は、六面体からなっているので、容器の角部に津波や洪水に流される瓦礫等が衝突すると、容易に破損する可能性が高い。
さらに、シェルターの姿勢が安定的に保持されることを前提に安全ベルトで避難者をシェルター内に固定すると、シェルターが横転したり上下逆転したりするようなことが発生した場合には、避難者は適切な行動が取れず、逆に、危険な状態に陥る可能性もある。
【０００５】
本発明の目的の一つは、津波や洪水の激流やこれに流される瓦礫の中であっても、避難者の安全性をより高めることが可能な水害避難用簡易シェルターを提供することである。
本発明の他の目的は、より軽量化され、より低コスト化された水害避難用簡易シェルターを提供することである。
【課題を解決するための手段】
【０００６】
本発明の水害避難用簡易シェルターは、円筒状をなし内部に人を収容する収容空間を画定する浮揚体であって、側面の一部に形成された人が出入りするための第１の出入口と、長手方向の両端部にそれぞれ設けられた人が出入りするための第２及び第３の出入口とを有する、合成樹脂製の浮揚体と、
外部からの水の侵入を防ぎつつ前記浮揚体の第１の出入口を開閉可能に閉鎖する扉と、
外部からの水の侵入を防ぎつつ前記浮揚体の第２および第３の出入口を開閉可能に閉鎖する蓋体と、を有し、前記浮揚体は、浸水時には、当該浮揚体の長手方向を横方向にした横倒し状態で使用される。
この構成によれば、人を収容する収容空間を画定する浮揚体を円筒状としたことにより、浮揚体が損傷しにくくなり、なおかつ、３つの出入口を設けたことで、３つの出入口のうち２つの出入口が浸水したような状態であっても、残りの出入り口から脱出することができる。
【０００７】
好適には、前記第２および第３の出入口には、外方に突出するように円筒部が形成され、
前記円筒部の外周面にはネジが形成され、前記蓋体は、前記ネジに螺合することにより、前記出入り口を開閉可能に閉鎖するキャップ状に形成されている、構成を採用できる。
この構成によれば、安価に蓋体を形成できる。
【０００８】
好適には、前記浮揚体の両端部には、当該浮揚体の外径と同様に外径を有し、前記蓋体を包囲するように設けられ、内部に密閉された空洞を有する合成樹脂製の環状の保護部材が設けられており、前記空洞は、前記収容空間とは独立している。
この構成によれば、浮揚体の両端部は、瓦礫等の流体物に衝突して破損しやすいが、保護部材を設けることでこれを抑制できる。保護部材は、フロートの役目も果たすが、保護部材は収容空間とは独立しているので、保護部材が破損したとしても、浮揚体に影響を及ぼさない。
【０００９】
前記浮揚体は、使用時には、当該浮揚体の長手方向を横方向にした横倒し状態で使用される。
この構成によれば、浮揚体は円筒状の縦長であるため、浸水時に縦方向に姿勢を保つことが困難であるが、横倒し状態で使用することで、激流中にあっても浮揚体が上下逆転するような危険な状態の発生を抑制できる。
【００１０】
好適には、前記浮揚体の長手方向の両端部の間で延在しかつ互いに離間して並設された２本のベルトからなる安全ベルトであって、前記浮揚体の内周面と前記２本のベルトとの間に避難者の身体を配置することで、当該避難者の転倒を防ぐための安全ベルトを備える。
この構成によれば、避難者は、これら２本のベルトと浮揚体の内周面との間に入り込むだけで転倒を防ぐことができ、他の操作を必要としない。避難者はシェルター外に脱出する際にも安全ベルトの解除操作の必要がない。
【発明の効果】
【００１１】
本発明によれば、津波や洪水等の水害における激流やこれに流される瓦礫の中であっても、避難者の安全性を高めることが可能な水害避難用簡易シェルターが提供される。
また、本発明によれば、軽量化され、低コスト化された水害避難用簡易シェルターが提供される。
【図面の簡単な説明】
【００１２】
【図１】本発明の一実施形態に係る水害避難用簡易シェルターの外観斜視図。
【図２】図１の水害避難用簡易シェルターの縦断面図であって、蓋体を外した状態を示す図。
【図３】水害避難用簡易シェルターの使用状態を示す図。
【図４】扉を開放した状態を示す部分拡大図。
【図５】ロック機構の構造を示す断面図。
【図６】ロック機構を作動させて扉を閉鎖した状態を示す部分拡大図。
【図７】（ａ）は空気孔を閉塞栓で閉塞した状態を示す断面図であり、（ｂ）は空気孔から閉塞栓を抜きとった状態を示す断面図。
【発明を実施するための形態】
【００１３】
以下、本発明の実施形態について図面を参照して説明する。
図１および図２に本発明の一実施形態に係る水害避難用簡易シェルター（以下、シェルターと呼ぶ。）１の基本的構造を示す。
図１および図２に示すように、シェルター１は、円筒状をなし内部に人を収容する収容空間ＳＰを画定する浮揚体１０を有する。
浮揚体１０は、比較的軽量で強度が高く耐久性もある塩化ビニル等の合成樹脂で形成され、側面の一部に収容空間ＳＰに人が出入りするための出入口１１が形成されている。
【００１４】
浮揚体１０の長手方向（図２では上下方向）の端部には、端部壁１０ｅ１が形成されており、それぞれの端部壁１０ｅ１の中央部に人が出入りするための円形状の出入口１２が形成されている。出入口１２の周囲には、外方に向けて円筒部１３が形成されている。円筒部１３も浮揚体１０と同様の材料で形成されている。
【００１５】
円筒部１３の外周面にはそれぞれねじ１３ａが形成されている。
円筒部１３に形成されたねじ１３ａには、キャップ状に形成されたポリエチレン等の合成樹脂製の蓋体３０の内周に形成されたねじ３０ａが螺合することにより、出入口１２を開閉可能に閉鎖する。これにより、出入口１２から水が収容空間ＳＰに浸入するのを防ぐことができる。なお、図２においては、蓋体３０をねじ１３ａから取り外した状態を示している。
蓋体３０には、外側と内側の両側に蓋体３０を回転させるための取手３１が設けられている。これにより、浮揚体１０の外部および内部の両方から蓋体３０を回転させることができる
【００１６】
扉２０は、図１に示すように、出入口１１を覆うのに十分な大きさを有しており、浮揚体１０の周面と合致する曲率で湾曲するように形成されている。図１に示すように、扉２０の外側面には扉２０を開閉するための取手２１が設けられている。扉２０も浮揚体１０と同様の材料で形成される。扉２０は、ヒンジＨＧを介して浮揚体１０に連結されており、出入口１１に対して外側に開放可能になっている。
ここで、図４に扉２０を開放した状態を示す。浮揚体１０に形成された出入口１１の周囲には、ゴム系材料からなる２本のシール部材ＳＬ１,ＳＬ２が所定の間隔を置いて設けられている。
一方、扉２０の内側面には、２本のシール部材ＳＬ１,ＳＬ２の間に嵌るゴム系材料からなる１本のシール部材ＳＬ３が設けられている。加えて、扉２０の内側面には、複数（３個）のロック機構５０が設けられている。
【００１７】
ロック機構５０は、出入口１１を閉じた扉２０が開かないように扉２０をロックするために設けられている。
図５に示すように、ロック機構５０は、扉２０に設けられた軸５３を中心に旋回可能に支持部材５４に支持された操作レバー５１と、操作レバー５１の先端部に設けられた係止部材５２とを備えている。
ロック機構５０は、操作レバー５１を手動操作して、図４に実線で示す操作レバー５１の係止部材５２が浮揚体１０の出入口１１の周囲の係合部１０ｔに係合しない位置に位置付けておくことにより、扉２０は開閉自在となる。
【００１８】
図６に示すように、扉２０を閉じると、２本のシール部材ＳＬ１,ＳＬ２の間にシール部材ＳＬ３が嵌り、浮揚体１０と扉２０との間はシールされる。そして、操作レバー５１を手動操作して、操作レバー５１の係止部材５２を出入口１１の周囲の係合部１０ｔに係合させることで、出入口１１を閉じた扉２０が開かないように扉２０をロックすることができる。なお、図６は、ロック機構５０を収容空間ＳＰ側から見た図である。
【００１９】
図１および図２に示すように、浮揚体１０の上下の両端部の端部壁１０ｅ１には、環状の保護部材４０が設けられている。保護部材４０は、断面が矩形状で、内部に密封された空洞４１を有する。空洞４１は、浮揚体１０の収容空間ＳＰとは分離されており、収容空間ＳＰからは独立している。保護部材４０も浮揚体１０と同様の材料で形成される。
保護部材４０の外径は、浮揚体１０の外径と同様であり、内周側で蓋体３０を包囲している。保護部材４０の高さは、蓋体３０の高さよりも高くなるように形成されている。
浮揚体１０の両端部は水害の激流で流される瓦礫等が衝突しやすい。このため、保護部材４０は、この衝突による蓋部３０を含む浮揚体１０の損傷を抑制するために設けられている。仮に、保護部材４０が損傷して内部の空洞４１に水等が浸入したとしても、浮揚体１０には影響がない。
また、保護部材４０は、浮力を発生させるフロートとしての役割も果たす。
【００２０】
シェルター１は、保管時には、設置面積を節約する観点から、図１に示したように、長手方向を上下にした縦置きとすることが好ましい。
使用時には、図３に示すように、浮揚体１０の長手方向を横方向にした横倒し状態で使用される。
シェルター１内に人ＥＨが入るときは、先ず、シェルター１を横倒しにし、扉２０を開放して収容空間ＳＰ内に入る。シェルター１を横倒しにすることにより、扉２０の位置が縦置き状態と比べて低くなり、子供や老人等でもシェルター１の収容空間ＳＰ内に容易に入ることができる。
【００２１】
浮揚体１０内には、図３に示すように、浮揚体１０の長手方向の両端部の間で延在しかつ互いに離間して並設された可撓性を有する２本のベルトからなる安全ベルト６０が設けられている。浮揚体１０の内周面１０ｃと２本のベルト６１，６２との間に人ＥＨの身体を配置することで、当該人ＥＨの転倒を防ぐ。人ＥＨは、これら２本のベルト６１，６２と浮揚体１０の内周面１０ｃとの間に入り込み、ベルト６１，６２を掴むだけで転倒を防ぐことができ、他の操作を必要としない。当該人ＥＨはシェルター１の外部に脱出する際にも安全ベルト６０の解除操作の必要がない。
【００２２】
図３に示すように、浮揚体１０の側面には、透明な樹脂材料で形成された窓７０が埋め込まれている。窓７０を設けることにより、シェルター１内に避難した人ＥＨは、外部の状況を把握可能となる。
【００２３】
シェルター１の使用時には、浮揚体１０の側面の出入口１１と両端部の２つの出入口１２は、それぞれ扉２０および蓋体３０で密封されている。このため、浮揚体１０の内部に必要に応じて空気を取り入れる必要があり、空気孔ＡＨが扉２０および蓋体３０にそれぞれ形成されている。なお、空気孔ＡＨはこれ以外の箇所にも設けることができる。
【００２４】
図７に空気孔ＡＨおよびこの空気孔ＡＨを閉塞するための閉塞栓８０を示す。空気孔ＡＨは、先細りテーパ状に形成された孔であり、図７（ａ）に示すように、空気孔ＡＨに先細りテーパ状に形成された閉塞栓８０を挿し込むことで、水の侵入を確実に防ぐことができる。シェルター１の収容空間ＳＰ内に空気を取り込む必要がある場合には、複数（この場合には３個）の閉塞栓８０のうち、水没していない空気孔ＡＨの閉塞栓８０を手動操作で抜くことで、図７（ｂ）に示すように、空気孔ＡＨを通じて空気を取り込むことができる。なお、閉塞栓８０は紛失しないようにチェーン８１で扉２０又は蓋体３０に接続されている。
【００２５】
本実施形態によれば、人を収容する収容空間ＳＰを画定する浮揚体１０を円筒状としたことにより、浮揚体１０が損傷しにくくなり、なおかつ、３つの出入口１１，１２,１２を設けたことで、３つの出入口のうち２つの出入口が浸水したような状態であっても、残りの出入口から脱出することができる。
また、本実施形態によれば、浮揚体１０の両端部に保護部材４０を設けることで、浮揚体１０が瓦礫等と衝突して損傷するのを抑制できる。
さらに、本実施形態によれば、浮揚体１０は円筒状の縦長であるため、浸水時に縦方向に姿勢を保つことが困難であるが、横倒し状態で使用することで、激流中にあっても浮揚体１０が上下逆転するような危険な状態になるのを抑制できる。
【００２６】
以上、本発明の実施形態について詳述したが、本発明はかかる特定の実施例に限定されるものではなく、特許請求の範囲に記載された本発明の要旨の範囲内において、種々の変形・変更が可能である。
【符号の説明】
【００２７】
１    水害避難用簡易シェルター
１０  浮揚体
１１  第１の出入口
１２  出入口（第２および第３の出入口）
２０  扉
３０  蓋体
４０  保護部材
５０  ロック機構
６０  安全ベルト
６１，６２  ベルト
７０  窓
８０  閉塞栓
８１  チェーン
ＡＨ  空気孔
ＳＰ  収容空間
ＥＨ  人
【要約】
【課題】津波や洪水の激流やこれに流される瓦礫の中であっても、避難者の安全性をより高め、より軽量化され、より低コスト化された水害避難用簡易シェルターを提供する。
【解決手段】円筒状をなし内部に人を収容する収容空間ＳＰを画定する浮揚体１０であって、側面の一部に形成された人が出入りするための出入口１１と、長手方向の両端部にそれぞれ設けられた人が出入りするための出入口１２，１２とを有する、合成樹脂製の浮揚体１０と、外部からの水の侵入を防ぎつつ浮揚体１０の出入口１１を開閉可能に閉鎖する扉２０と、外部からの水の侵入を防ぎつつ浮揚体の出入口１２，１２をそれぞれ開閉可能に閉鎖する蓋体３０，３０とを有する。
【選択図】図１【図１】
0006982354.tif 000002
【図２】
0006982354.tif 000003
【図３】
0006982354.tif 000004
【図４】
0006982354.tif 000005
【図５】
0006982354.tif 000006
【図６】
0006982354.tif 000007
【図７】
0006982354.tif 000008